(57)【特許請求の範囲】
【請求項１】
無線通信網との無線通信によりプッシュサービス情報を取得する情報取得端末と、
前記情報取得端末が無線通信可能な状態にあるか否かに関わらず、前記無線通信網を介して前記情報取得端末に情報提供を行う情報提供ホストと、からなるプッシュサービスシステムであって、
前記情報取得端末は、
前記情報提供ホストから情報提供される前記プッシュサービス情報を取得する情報取得手段と、
他の情報取得端末と通話を行うための通話手段と、
前記情報取得手段および前記通話手段を制御する制御手段と、
通話時間を計時して通話が継続しているか否かを判断する通話継続判断手段とを具備し、
前記情報取得手段と前記通話手段とを同時には作動できないようになっており、
前記情報取得端末が、前記通話手段によって他の情報取得端末と所定時間以上通話を行った場合、前記制御手段は前記通話の終了をきっかけとして、前記情報取得手段に指示して前記無線通信網を経由して前記情報提供ホストに対して情報提供を要求すること、
前記所定時間とは前記通話継続判断手段が通話継続と判断する時間であること、および
前記情報取得端末が通話状態にある時に、前記情報提供ホストより情報提供が行われた場合、前記無線通信網は、前記情報取得端末に対して前記通話状態が継続する限りは一定時間、前記プッシュサービス情報の送信を繰り返すようになっており、
前記所定時間と前記一定時間とはほぼ等しく、前記通話継続判断手段は、前記一定時間を計時すること
を特徴とするプッシュサービスシステム。
【請求項２】
前記情報提供ホストは、前記情報取得端末に提供する前記プッシュサービス情報を格納するデータ格納部を備え、
前記情報提供ホストは、前記情報取得端末に提供する前記プッシュサービス情報に対して有効期限を設定してデータ格納部に格納し、前記情報取得端末に提供する情報に対して有効期限を設定して管理することを特徴とする請求項１に記載のプッシュサービスシステム。
【請求項３】
前記情報提供ホストは、前記有効期限をこえた前記プッシュサービス情報を削除し、
前記情報提供ホストは、前記有効期限内の前記プッシュサービス情報の場合は、前記情報取得端末から情報提供の要求を受信した時点をきっかけとして当該プッシュサービス情報を再送することを特徴とする請求項２に記載のプッシュサービスシステム。
【請求項４】
前記情報取得手段が前記情報提供ホストから取得する前記プッシュサービス情報は、文字数が限られた文字データであることを特徴とする請求項１から請求項３のいずれかに記載のプッシュサービスシステム。
【請求項５】
情報提供先が無線通信可能な状態にあるか否かに関わらず、無線通信網を介して情報提供を行う情報提供ホストから、前記無線通信網との無線通信により情報を取得する情報取得端末であって、前記情報取得端末が通話状態にある時に、前記情報提供ホストより情報提供が行われた場合、前記無線通信網は、前記情報取得端末に対して前記通話状態が継続する限りは一定時間、プッシュサービス情報の送信を繰り返すようになっているプッシュサービスシステムにおける情報取得端末において、
前記情報提供ホストから情報提供される前記プッシュサービス情報を取得する情報取得手段と、
他の情報取得端末と通話を行うための通話手段と、
前記情報取得手段および前記通話手段を制御する制御手段と、
通話時間を計時して通話が継続しているか否かを判断する通話継続判断手段とを具備し、
前記情報取得手段と前記通話手段とを同時には作動できないようになっており、
前記通話手段によって他の情報取得手段と所定時間以上通話を行った場合、前記制御手段は前記通話の終了をきっかけとして、前記情報取得手段に指示して前記無線通信網を経由して前記情報提供ホストに対して情報提供を要求すること、
前記所定時間とは前記通話継続判断手段が通話継続と判断する時間であること、および
前記所定時間と前記一定時間とはほぼ等しく、前記通話継続判断手段は、前記一定時間を計時すること
を特徴とする情報取得端末。
【請求項６】
前記情報取得手段が前記情報提供ホストから取得する前記プッシュサービス情報は、文字数が限られた文字データであることを特徴とする請求項５に記載の情報取得端末。
【発明の詳細な説明】
【技術分野】
【０００１】
本発明はプッシュサービスシステムおよび情報取得端末に関し、特にプッシュサービスの再受信方法に関するものである。
【背景技術】
【０００２】
従来の、専用回線あるいはインターネットに接続されるプッシュサービスの情報提供システムの一般的な構成例については特開２００３−２８８２９８号公報に記されているが、それは図１に示すようなものである。本システムは、無線通信網１０４に接続される情報取得端末Ａ１０１及び情報取得端末Ｂ１０２と、無線通信網１０４に接続していない情報取得端末Ｃ１０３と、有線通信網１０７（具体的には専用回線あるいはインターネット）に接続する情報提供ホスト１０６と、無線通信網１０４と有線通信網１０７とを接続するためアクセスサーバ装置１０５と、を備えている。
【０００３】
例えば、情報提供ホスト１０６から情報取得端末Ａ１０１、情報取得端末Ｂ１０２及び情報取得端末Ｃ１０３に、情報を提供する場合、情報提供ホスト１０６は、情報取得端末Ａ１０１、情報取得端末Ｂ１０２、及び、情報取得端末Ｃ１０３が、無線通信網１０４に接続しているか否かに関わらず、これら情報取得端末へ一方向に情報を送信する。かかる場合に、無線通信網１０４に接続している情報取得端末Ａ１０１、情報取得端末Ｂ１０２は、情報提供ホスト１０６から提供された情報を受信することができる。
【０００４】
しかし、無線通信網１０４に接続されていない情報取得端末Ｃ１０３は、情報提供ホスト１０６から提供された情報を受信することができない。
【０００５】
ところで、プッシュサービスとは、上述のように情報取得端末への情報提供を目的とし、情報取得端末ユーザが明示的に情報提供ホストにアクセスすることなく、情報提供ホストから情報取得端末に情報提供するサービスのことである。ここでの情報とはユーザが必要とする様々なコンテンツ情報をさしており、以下プッシュサービス情報と呼ぶこととする。
【０００６】
さて、プッシュサービスではプッシュサービス情報を必要としている情報取得端末が無線通信可能な状態か否かとは無関係に情報提供ホストが一方的にプッシュサービス情報を提供するため、図１に示す技術では、前記情報取得端末が無線通信網に接続されていない状態（以下無線通信圏外と称する）の間に、前記情報提供ホストから送信されたプッシュサービス情報は受信することができず、ユーザはすくなくとも常に情報取得端末を無線通信網に接続していない限り、必要なプッシュサービス情報を受信できない。
【０００７】
また、情報取得端末に、情報取得端末間の通話手段が備えられている場合、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式のような通話とデータ通信が同時に可能な情報取得端末以外の情報取得端末は、通常、プッシュサービスを利用する場合に無線通信網と接続するためのチャンネルと、通話する場合に無線通信網と接続するためのチャンネルを共有しており、通話とプッシュサービスとを同時に利用することができない。ゆえに、情報取得端末が通話機能を使用している間は情報提供ホストから送信されるプッシュサービス情報は無線通信圏外時と同じく受信できない。
【０００８】
このように情報取得端末の状況により、プッシュサービス情報がリアルタイムで受信できない場合、一般的にアクセスサーバ装置は一定時間の間、定期的にプッシュサービス情報を情報取得端末に対して再送信（再送）するが一定時間経過後には再送を停止し、送信の失敗を情報提供ホストに伝える。これを受けて情報提供ホストは周知の再送制御を行い、再び前記プッシュサービス情報を情報取得端末に送信するようにアクセスサーバ装置に依頼する。
【特許文献１】特開２００３−２８８２９８号公報
【発明の開示】
【発明が解決しようとする課題】
【０００９】
しかしながら、このシステムでは次の図２乃至図３に示すような課題がある。図２は情報取得端末が無線通信圏外にある状態の時にプッシュサービスの情報が送信されたという想定の図であり、図３は情報取得端末が通話中にプッシュサービスの情報が送信されたという想定の図である。
【００１０】
たとえば図２で情報取得端末が無線通信圏外にある状態のとき、上記の再送により、アクセスサーバ装置がプッシュサービスの情報を一定時間再送し終え、送信失敗を情報提供ホストに伝える。ここで、情報提供ホストがプッシュサービス情報の再送制御を行っている間に情報取得端末が移動して一時無線通信圏内（無線通信可能な状態）となり、その後無線通信圏外域へと移動してしまった後で、情報提供ホストの再送制御による送信依頼をうけたアクセスサーバ装置が再びプッシュサービス情報を送信しても情報取得端末は受信することができないばかりか、情報提供ホストに再送制御を課すうえに、前記再送制御による再送が無駄な通信トラフィックになってしまっている。これは情報取得端末が通話中から無線通信圏内だが非通話中（以後待受中と呼ぶ）になり、再び通話中あるいは無線通信圏外となった状況についても同様である（図３）。
【００１１】
本発明は上記課題に鑑みてなされたものであり、その目的は第１に通信における無駄なトラフィックを低減することのできるプッシュサービスシステムおよび情報取得端末を提供すること、第２に情報取得端末が一時的に無線通信圏外あるいは通話中の状態にあったとしてもその間に提供されるプッシュサービス情報を、再び待受中の状態に復帰した際に迅速に受信できるようにすること、にある。
【課題を解決するための手段】
【００２１】
また、請求項１の発明によれば、無線通信網との無線通信によりプッシュサービス情報を取得する情報取得端末と、前記情報取得端末が無線通信可能な状態にあるか否かに関わらず、前記無線通信網を介して前記情報取得端末に情報提供を行う情報提供ホストとからなるプッシュサービスシステムであって、前記情報取得端末は、前記情報提供ホストから情報提供される前記プッシュサービス情報を取得する情報取得手段と、他の情報取得端末と通話を行うための通話手段と、前記情報取得手段および前記通話手段を制御する制御手段と、通話時間を計時して通話が継続しているか否かを判断する通話継続判断手段とを具備し、前記情報取得手段と前記通話手段とを同時には作動できないようになっており、前記情報取得端末が、前記通話手段によって他の情報取得端末と所定時間以上通話を行った場合、前記制御手段は前記通話の終了をきっかけとして、前記情報取得手段に指示して前記無線通信網を経由して前記情報提供ホストに対して情報提供を要求すること、所定時間とは通話継続判断手段が通話継続と判断する時間であること、および情報取得端末が通話状態にある時に、情報提供ホストより情報提供が行われた場合、無線通信網は、情報取得端末に対して通話状態が継続する限りは一定時間、プッシュサービス情報の送信を繰り返すようになっており、所定時間と一定時間とはほぼ等しく、通話継続判断手段は、一定時間を計時することを特徴とする。
【００２２】
このように、情報取得端末が通話中からいったん無線通信圏内で非通話中の状態（以後「待受中」と称する）になった場合に情報取得端末が情報提供ホストへとプッシュサービス情報の送信を要求するようにすることで、たとえ無線通信網による再送期間が終了して送信失敗が情報提供ホストに伝えられても情報提供ホスト側は再送制御をせず、情報取得端末側の送信要求のあった場合にのみ再送要求を行って無線通信網に情報取得端末へのプッシュサービス情報の送信を依頼することが可能となる。これで送信失敗の度に情報提供ホスト側で再送制御を行わずにすみ、結果として無駄な再送を防止できる。
【００２３】
また、情報取得端末からみれば、自身が一時的に通話中であったとしてもその間に提供されるプッシュサービス情報を、再び待受中の状態に復帰した際に迅速に受信できる。
【００２４】
ここで、この所定時間の具体例は、情報取得端末が通話継続中と判断する時間である。
【００２６】
このように、情報取得端末が通話継続と判断する時間長を無線通信網によるプッシュサービス情報の再送時間長に一致させることにより、通話状態にある情報取得端末が再送を受けている間に待受中になった場合、プッシュサービス情報を受け取ることが可能となる。それのみならず、この場合は情報取得端末が待受中になったことによって情報提供ホスト側に無駄に送信要求することがなくなり、結果無駄な通信トラフィックを低減できる。
請求項２の発明は、前記情報提供ホストは、前記情報取得端末に提供する前記プッシュサービス情報を格納するデータ格納部を備え、前記情報提供ホストは、前記情報取得端末に提供する前記プッシュサービス情報に対して有効期限を設定してデータ格納部に格納し、前記情報取得端末に提供する情報に対して有効期限を設定して管理することを特徴とする。
これにより、ユーザにとって不要な前記プッシュサービス情報の送信を防止する。
請求項３の発明は、前記情報提供ホストは、前記有効期限をこえた前記プッシュサービス情報を削除し、前記情報提供ホストは、前記有効期限内の前記プッシュサービス情報の場合は、前記情報取得端末から情報提供の要求を受信した時点をきっかけとして当該プッシュサービス情報を再送することを特徴とする。
請求項４の発明は、前記情報取得手段が前記情報提供ホストから取得する前記プッシュサービス情報は、文字数が限られた文字データであることを特徴とする。
【００２７】
また、請求項５の発明によれば、情報提供先が無線通信可能な状態にあるか否かに関わらず、無線通信網を介して情報提供を行う情報提供ホストから、前記無線通信網との無線通信により情報を取得する情報取得端末であって、前記情報取得端末が通話状態にある時に、前記情報提供ホストより情報提供が行われた場合、前記無線通信網は、前記情報取得端末に対して前記通話状態が継続する限りは一定時間、プッシュサービス情報の送信を繰り返すようになっているプッシュサービスシステムにおける情報取得端末において、前記情報提供ホストから情報提供される前記プッシュサービス情報を取得する情報取得手段と、他の情報取得端末と通話を行うための通話手段と、前記情報取得手段および前記通話手段を制御する制御手段と、通話時間を計時して通話が継続しているか否かを判断する通話継続判断手段とを具備し、前記情報取得手段と前記通話手段とを同時には作動できないようになっており、前記通話手段によって他の情報取得手段と所定時間以上通話を行った場合、前記制御手段は前記通話の終了をきっかけとして、前記情報取得手段に指示して前記無線通信網を経由して前記情報提供ホストに対して情報提供を要求すること、前記所定時間とは前記通話継続判断手段が通話継続と判断する時間であること、および前記所定時間と前記一定時間とはほぼ等しく、前記通話継続判断手段は、前記一定時間を計時することを特徴とする。
【００２８】
これにより、請求項１記載の発明と同様な効果を奏することができる。
【００２９】
ここで、この所定時間の具体例は、情報取得端末が通話継続中と判断する時間のことである。
請求項６の発明は、前記情報取得手段が前記情報提供ホストから取得する前記プッシュサービス情報は、文字数が限られた文字データであることを特徴とする。
【発明を実施するための最良の形態】
【００３０】
以下、本発明が適用された実施形態について図４乃至図５を参照しながら説明する。図４は、本発明のプッシュサービスシステムおよび情報取得端末の構成を示す概略図である。本発明のプッシュサービスシステム４００は、プッシュサービス情報を保持し、プッシュサービスを行う情報提供ホスト４１０、情報提供ホスト４１０と専用回線あるいはインターネット等の有線通信によるネットワークを介して接続され、前記プッシュサービス情報の中継を行う通信網４２０、通信網４２０と無線通信を介して接続され、前記プッシュサービス情報を受信する情報取得情報取得端末４３０からなる。具体的には情報提供ホスト４１０は、プッシュサービス提供事業者の情報配信センターであり、通信網４２０は、通信事業者の管理する通信網であり、情報取得端末４３０はユーザが所持している携帯電話である。
【００３１】
情報提供ホスト４１０は、プッシュサービス情報を格納するデータ格納部４１１、プッシュサービス情報の授受を行うホスト側通信部４１２、それらを制御するホスト側処理部４１３からなる。ホスト側処理部４１３は、プッシュサービス情報の更新があった場合、ホスト側通信部４１２により更新されたプッシュサービス情報を取得して、通信網４２０へ前記プッシュサービス情報を配信する。通信網４２０は、プッシュサービス情報を情報取得情報取得端末４３０へ送信するためのアクセスサーバ装置４２２と、前記アクセスサーバ装置と有線回線にて接続された複数の無線基地局４２１からなり、無線基地局４２１を経由して配信されたプッシュサービス情報を情報取得端末４３０に送信する。
【００３２】
情報取得情報取得端末４３０は、プッシュサービス情報のデータ通信のための端末側通信部４３１と、自身が無線通信圏外の状態に継続中にあるか否かを判断する圏外継続判断手段４３２と自身が通話継続中であるか否かを判断する通話継続判断手段４３３と、それらを制御する端末側処理部４３４とからなる。
【００３３】
圏外継続判断手段４３２は、情報取得端末４３０が無線通信不可能になってからの時間を計時手段（不図示）により計時しておき、一定時間以上無線通信不可能な状態が継続した場合に端末側処理部４３４に自身が無線通信圏外の状態が継続している旨を伝達する。ここで前記一定時間のことを圏外継続判断時間と呼ぶこととする。また通話継続判断手段４３３は、通信網４２０に接続するチャンネルが通話に用いられてからの時間を前記計時手段により計時しておき、一定時間以上利用され続けている場合に端末側処理部４３４に自身が通話継続中である旨を伝達する。ここで前記一定時間のことを通話継続判断時間と呼ぶこととする。
【００３４】
次に、本実施形態のプッシュサービスシステムの各エレメント（情報提供ホスト４１０、通信網４２０、情報取得端末４３０）間での情報授受について、図４の概略図乃至図５に示すデータ通信のフローチャート図を参照しつつ説明する。ゆえに以下の説明では図４乃至図５内の符号を適宜用いる。
【００３５】
ところで、本発明は、情報取得端末４３０が無線通信圏外あるいは通話中の場合にプッシュサービスが行われた場合のプッシュサービス情報の授受に特徴があるため、プッシュサービスシステム４００のプッシュサービス情報の配信段階までは、「従来技術」にて図１を用いて説明した技術となんら変わりない。また本実施例で前提とするプッシュサービスとは、ＳＭＳ（Ｓｈｏｒｔ  Ｍｅｓｓａｇｅ  Ｓｅｒｖｉｃｅ：ショートメッセージサービス）を利用したものであり、ここでいうプッシュサービス情報とはこのショートメッセージ（文字数の限られた文字データ：以下ＳＭＳと称する）である。詳しく説明すると、ＳＭＳはユーザが必要とするニュースなどの時事情報や、プッシュサービスシステムの整備、補修のための一定時間の利用制限情報（以下メンテナンス情報と呼ぶ）や、端末が盗難に遭った場合の情報提供ホストからの追跡のための情報（以下セキュリティ情報と呼ぶ）、あるいは災害情報等の緊急情報である。
【００３６】
なお情報取得端末４３０の通信方式は、データ通信と通話が同時に処理可能なマルチコール対応の方式以外、たとえばＷ―ＣＤＭＡ方式以外を対象とする。
【００３７】
さて、上述のように図５のフローチャートの前提は、情報取得端末４３０が待受中でない場合（無線通信圏外あるいは通話中の場合）に情報提供ホストからＳＭＳが配信された状況である。なお、図５の各ステップにおいて、ステップの下三桁目の数字がそれぞれのエレメントの動作を示しており、１は情報提供ホスト４１０、２は通信網４２０、３は情報取得端末４３０の動作に対応している。
【００３８】
さて、フローチャートの動作開始（ステップ５１００）は、情報提供ホスト４１０の保持するＳＭＳが更新された場合である。このとき情報提供ホスト４１０は、ＳＭＳを情報取得端末４３０に送信するために、中継を果たす通信網４２０に対して前記ＳＭＳを情報取得端末４３０に送信するよう要求するとともに、送信すべきＳＭＳをも送信する（ステップ５１１０）。
【００３９】
これを受けて通信網４２０は、ＳＭＳを情報取得端末４３０に送信し（ステップ５２００）、つづいてプッシュサービスシステム４００はステップ５３００に移る。ステップ５３００は、情報取得端末４３０が待受中か否かを判断するステップである。情報取得端末４３０が待受中である（ステップ５３００：ｙｅｓ）場合は、ステップ５３１０に進み、一方情報取得端末４３０が無線通信圏外あるいは通話中である（ステップ５３００：ｎｏ）場合は、圏外継続判断手段４３２あるいは通話継続判断手段４３３が、無線通信圏外あるいは通話中になった時点からの時間を計時（ステップ５３０１）し、ステップ５２１０に進む。なお、上述の前提により、フローチャートの初期状態では情報取得端末４３０が無線通信圏外あるいは通話中であるので、前記無線通信圏外あるいは通話中になった状態で前記ステップ５３０１での計時動作が開始され、継続している状態であることを注意されたい。
【００４０】
次にステップ５３００がｙｅｓである場合についてより詳しく説明する。この場合プッシュサービスシステム４００は、ステップ５３１０に進むが、ここでは情報取得端末４３０が無線通信圏外から待受中に復帰した際、あるいは通話中から待受中に復帰した際にＳＭＳの送信要求を行うか否かを判断するステップである。具体的には、無線通信圏外から待受中に復帰した際、圏外継続判断手段４３２による計時時間が圏外継続判断時間以内（ステップ５３１０：ｎｏ）であれば、通信網４２０からのＳＭＳ再送を受信できる可能性があるのでステップ５３２０へと進む。逆に前記計時時間が圏外継続判断時間をこえている（ステップ５３１０：ｙｅｓ）場合は、圏外継続判断時間を通信網４２０のＳＭＳ再送時間と一致させていることから、通信網４２０からのＳＭＳ再送はないことが明らかである。ゆえに情報取得端末４３０はＳＭＳの送信要求を、通信網４２０を介して情報提供ホスト４１０へと送信する（ステップ５３４０）。
【００４１】
一方情報取得端末４３０が通話中から待受中へと復帰した際も、計時時間をもとに上記と同様なフローをたどる。
【００４２】
次にステップ５３２０であるが、このステップでは、情報取得端末４３０が通信網４２０により再送されたＳＭＳを受信しているかどうかを判定する。情報取得端末４３０がＳＭＳを受信している（ステップ５３２０：ｙｅｓ）場合、ステップ５３３０に進み、ＳＭＳを受信完了した旨の信号（応答確認信号：以下ＡＣＫ信号と称する）を通信網４２０に送信し、通信網４３０の動作は、これを受けてステップ５２１０へと移行する。
【００４３】
逆にステップ５３２０がｎｏの場合、ひきつづき通信網４２０からのＳＭＳ再送を受信できる可能性があるのでステップ５２１０に進む。
【００４４】
次にステップ５３００がｎｏの場合、すなわちステップ５２１０以下のステップについて詳しく説明する。ステップ５２１０は、通信網４２０が、情報取得端末４３０からのＳＭＳ受信完了を伝えるＡＣＫ（Ａｃｋｎｏｗｌｉｄｇｅｍｅｎｔ：確認応答）信号を受信したか否かを判断するステップであり、ＡＣＫ信号を受信した（ステップ５２１０：ｙｅｓ）場合は、情報取得端末４３０へのＳＭＳ送信が成功したのでＳＭＳ送信が成功した旨を情報提供ホスト４１０へ送信する（ステップ５２２０）。これをうけて情報提供ホスト４１０は、該当するＳＭＳをデータ格納部４１１から削除し（ステップ５１２０）、一連のプッシュサービス送信を終了する（ステップ５１３０）。
【００４５】
一方ステップ５２１０で通信網４２０がＡＣＫ信号を受信していない（ステップ５２１０：ｎｏ）場合は、ステップ５２３０以下のＳＭＳの再送処理ステップへと移行する。通信網４２０は、情報取得端末４３０に対して最初にＳＭＳを送信してからの時間を計時しており、その時間が予め設定された再送時間以内（ステップ５２３０：ｎｏ）であれば定期的にＳＭＳを情報取得端末４３０に対して送信し続ける。しかし、再送時間を超えた（ステップ５２３０：ｙｅｓ）場合は、再送に失敗したと判断し、ＳＭＳ送信が失敗した旨を情報提供ホスト４１０へ送信する（ステップ５２４０）。
【００４６】
これをうけて情報提供ホスト４１０は、該当するＳＭＳをデータ格納部に格納し、その時点から前記ＳＭＳに対して有効期限を設定する（ステップ５１５０）。ここでＳＭＳに有効期限を設定するのは、その情報が一定時間経つとユーザにとって無意味になることがあるからである。たとえば当日に期限のある時事情報（商品割引情報や今日のニュースなど）の配信通知は、翌日に再送しても無意味であるので有効期限は当日中に設定する。その一方でメンテナンス情報などはなるべく通知すべきものであるので、有効期限を少なくとも当該メンテナンス期間が終了する時点までといった具合に長く設定する。また、セキュリティ情報に関連するＳＭＳや緊急情報に関するＳＭＳなど、確実に通知が必要なＳＭＳについては有効期限を設定せず、送信に成功するか、ユーザが手動で再送を解除するまで記録しておくようにする。
【００４７】
このようにＳＭＳに有効期限を設定して管理することで、ユーザにとって不要なＳＭＳの送信を防止し、またそれにともなう通信トラフィックの低減を実現できる。
【００４８】
さて、上述のように有効期限をこえた（ステップ５１５０：ｎｏ）場合は、該当するＳＭＳはユーザにとって意味をなさないので情報提供ホスト４１０は該当するＳＭＳを削除し（ステップ５１２０）、動作を終了する（ステップ５１３０）。
【００４９】
また有効期限内（ステップ５１５０：ｙｅｓ）のＳＭＳの場合は、ユーザにとって有用であるので再送待ちの状態としてデータ格納部４１１に残しておく（ステップ５１６０）。前記ＳＭＳを再送するトリガ（きっかけ）となるのは、情報取得端末４３０がステップ５３４０にて送ったＳＭＳ送信要求を情報提供ホスト４１０が受信した（ステップ５１６０：ｙｅｓ）時点である。前記ＳＭＳ送信要求を受信しない（ステップ５１６０：ｎｏ）間は情報提供ホスト４１０はＳＭＳの有効期限を管理する（ステップ５１５０）。
【００５０】
以上が本実施形態の説明である。
【００５１】
本発明は上記実施形態になんら限定されず、様々な形態を採りうる。たとえば情報取得端末４３０は車載用の無線通信機であってもよい。この場合、たとえば車両が盗難に遭った際、情報提供ホスト４１０は、情報取得端末４３０に対して追跡用のＳＭＳを送信し、ＧＰＳ（Ｇｌｏｂａｌ  Ｐｏｓｉｔｉｏｎｉｎｇ  Ｓｙｓｔｅｍ）などと連携して車両の位置を特定し、緊急機関に通報する。このとき悪質な窃盗犯が、故意に車両を無線通信圏外に移動したとしても、再び無線通信圏内に復帰した場合には、より迅速にＳＭＳを受信し、位置特定を行うことが可能となる。
【００５２】
このように本発明によれば、情報取得端末４３０側の圏外継続判断手段あるいは通話継続判断手段が圏外継続あるいは通話継続と判断する判断時間の長さを、情報取得端末４３０が無線通信圏外の状態時あるいは通話中に情報提供ホスト４１０から送信されたＳＭＳを通信網４２０が再送する際の再送時間長と一致させているために、ＳＭＳを再送中に情報取得端末４３０が圏内あるいは待受状態に復帰した場合、再送されているＳＭＳを受信することができる。すなわち、前記判断時間中に情報取得端末４３０が圏内あるいは待受中となったにもかかわらず、前記再送時間が前記判断時間よりも短く、既に再送が終了してしまってＳＭＳを受信できないという事態を回避できる。
【００５３】
なお、圏外継続判断時間あるいは通話継続判断時間は、通信網４２０の再送時間と精密に一致する必要はなく、上記効果を奏する範囲でほぼ一致していればよい。
【００５４】
さらに上記により、前記事態が生じた際に発生する、情報取得端末４３０から情報提供ホスト４１０への無駄なＳＭＳ送信要求の送信を回避し、ひいては前記ＳＭＳ送信要求にともなうホスト側での再送による無駄な通信を防止できる。このことにより、前記本発明の第１の目的である、プッシュサービスシステム４００の通信における無駄なトラフィックを低減するという効果を奏することができる。
【００５５】
また図６ないし図７に示すように、本発明によれば、情報取得端末４３０は、前記判断時間以上無線通信圏外状態が継続あるいは通話状態が継続した後に、再び無線通信圏内あるいは待受状態に復帰した場合、ＳＭＳの送信要求を通信網４２０を介して情報提供ホスト４１０へと送信する。このことにより、情報提供ホスト４１０は従来の再送制御をすることなく、［背景技術］にて説明した技術よりも迅速かつより高い確率でＳＭＳを情報取得端末４３０に受信させることができるようになる。
【００５６】
なお、送信に失敗したＳＭＳを有効期限付きで管理することで、ユーザにとって不要なＳＭＳを情報取得端末４３０が受信することもなくなる。以上が本発明の実施形態である。このことにより、前記本発明の第２の目的である、情報取得端末４３０が一時的無線通信圏外あるいは通話中の状態にあったとしてもその間に提供されるプッシュサービス情報を、再び待受中の状態に復帰した際に迅速に受信できるという効果を奏することができる。
【図面の簡単な説明】
【００５７】
【図１】従来のプッシュサービスシステムの構成を示す概略図である。
【図２】従来のプッシュサービスシステムのプッシュサービス情報の再送の様子を示す概略図である。
【図３】従来のプッシュサービスシステムのプッシュサービス情報の再送の様子を示す概略図である。
【図４】本発明に係わるプッシュサービスシステムおよび端末の構成を示す概略図である。
【図５】本発明に係わるプッシュサービスシステムおよび端末のデータ送受信の様子を示すフローチャート図である。
【図６】本発明に係わるプッシュサービスシステムおよび端末の、プッシュサービス情報の再送の様子を示す概略図である。
【図７】本発明に係わるプッシュサービスシステムおよび端末の、プッシュサービス情報の再送の様子を示す概略図である。
【符号の説明】
【００５８】
４１０  情報提供ホスト
４２０  通信網
４３０  情報取得端末
【図１】
0004697022.tif 000002
【図２】
0004697022.tif 000003
【図３】
0004697022.tif 000004
【図４】
0004697022.tif 000005
【図５】
0004697022.tif 000006
【図６】
0004697022.tif 000007
【図７】
0004697022.tif 000008